(57)【要約】  １つの層上の一部領域にのみ追加の層を成型・積層するための多層射出成型装置及び該多層射出成型装置を用いた積層樹脂成型品の成型方法を提供することを目的とする。キャビティ（３００）の少なくとも１つの部位には、該キャビティ（３００）の容積の縮小拡大の動作方向と平行である平坦な立設面（２９）を成型する堰部成型領域（３０４）が設けられ、複数の射出装置（２３１，２３２）のうち一つの射出装置が前記キャビティ（３００）の全領域を熱可塑性樹脂で充填した後、前記キャビティ（３００）の容積を拡大し、新たなキャビティを形成したとき、前記堰部成型領域（３０４）にある充填された樹脂が前記新たなキャビティを複数の空間（４００，４１０）に分け、該複数の空間（４００，４１０）それぞれには、前記複数の射出装置のうち一つと連通する流路が設けられることを特徴とする多層射出成型装置。
2007052351.tif 000002
【特許請求の範囲】
【請求項１】
少なくとも２種類の熱可塑性樹脂をそれぞれ独立に可塑化させるとともに独立に充填射出する複数の射出装置（２３１，２３２）と、
可動盤（２１４）と固定盤（２１３）とに取付けられるとともに内部に形成されるキャビティ（３００）の容積を縮小拡大可能である金型（２１０）と、
前記金型（２１０）を開閉する型締装置（２２０）からなる多層射出成型装置（２００）であって、
前記キャビティ（３００）の少なくとも１つの部位には、該キャビティ（３００）の容積の縮小拡大の動作方向と平行である平坦な立設面（２９）を成型する堰部成型領域（３０４）が設けられ、
前記複数の射出装置（２３１，２３２）のうち一の射出装置が前記キャビティ（３００）の全領域を前記熱可塑性樹脂で充填した後、前記キャビティ（３００）の容積を拡大し、新たなキャビティを形成したとき、前記堰部成型領域（３０４）にある前記充填された樹脂が前記新たなキャビティを複数の空間（４００，４１０）に分け、
該複数の空間（４００，４１０）それぞれには、前記複数の射出装置のうち一つと連通する流路と該射出装置（２３１，２３２）からの溶融樹脂の流れを選択的に遮るバルブ（２３９）が設けられることを特徴とする多層射出成型装置（２００）。
【請求項２】
少なくとも２種類の熱可塑性樹脂をそれぞれ独立に可塑化させるとともに独立に充填射出する複数の射出装置（２３１，２３２）と、
可動盤（２１４）と固定盤（２１３）とに取付けられるとともに内部に形成されるキャビティ（３００）の容積を縮小拡大可能である金型（２１０）と、
前記金型（２１０）を開閉する型締装置（２２０）からなる多層射出成型装置（２００）であって、
前記キャビティ（３００）の少なくとも１つの部位には、該キャビティ（３００）の容積の縮小拡大の動作方向と平行である平坦な立設面（２９）を成型する堰部成型領域（３０４）が設けられ、
前記複数の射出装置（２３１，２３２）のうち１つから、樹脂を射出した際及び後に前記キャビティの容積を拡大し、次の樹脂が充填されるための新たなキャビティが形成されたときに、前記堰部成型領域（３０４）にある樹脂が新たなキャビティを複数の空間（４００，４１０）に分け、
該複数の空間（４００，４１０）それぞれには、前記複数の射出装置（２３１，２３２）のうち一つと連通する流路（２１５，２１６）と該射出装置（２３１，２３２）からの溶融樹脂の流れを選択的に遮るバルブ（２３９）が設けられることを特徴とする多層射出成型装置（２００）。
【請求項３】
前記射出装置（２３１，２３２）には、それぞれ独立して、前記流路（２１５，２１６）の開閉を制御する手段が備えられることを特徴とする特許請求の範囲第１項又は第２項記載の多層射出成型装置（２００）。
【請求項４】
前記多層射出成型装置（２００）が、前記樹脂の射出充填と前記キャビティ（３００）の拡大動作を繰り返し、熱可塑性樹脂からなる積層樹脂成型品（１）を得るものであって、
前記堰部成型領域（３０４）の前記拡大縮小方向の長さは、前記積層樹脂成型品（１）を構成する各層の厚さの総和以上であることを特徴とする特許請求の範囲第１項又は第２項記載の多層射出成型装置（２００）。
【請求項５】
型締装置（２２０）で金型（２１０）の型締を行い、該金型（２１０）内部で第１の容積を備えるキャビティ（３００）を形成する段階と、
該キャビティ（３００）内に通ずる流路（２１５，２１６）のバルブ（２３９）を開き、溶融樹脂を前記キャビティ（３００）内に射出する段階と、
所望量の溶融樹脂が射出された後、前記バルブ（２３９）を閉じ、前記キャビティ（３００）内に射出された溶融樹脂を所定時間、冷却保持する段階と、
前記金型（２１０）を開き、前記冷却された溶融樹脂と前記金型（２１０）の内壁との間に第２の容積を備えるキャビティ（４００，４１０）を新たに形成する段階と、
該新たに形成されたキャビティ（４００，４１０）に通ずる流路のバルブ（２３９）を開き、溶融樹脂を前記新たに形成されたキャビティ（４００，４１０）に射出する段階と、
所望量の溶融樹脂が前記新たに形成されたキャビティ（４００，４１０）内に射出された後、前記新たに形成されたキャビティ（４００，４１０）に通ずる流路（２１５，２１６）のバルブ（２３９）を閉じ、前記新たなキャビティ（４００，４１０）内に射出された溶融樹脂を所定時間、冷却保持する段階と、
型開して、金型（２１０）から積層樹脂成型品（１）を取り出す段階からなる積層樹脂成型品の成型方法。
【請求項６】
前記成型品（１）を構成する樹脂層の積層数に応じて、順次、前記新たなキャビティ（４００，４１０）を形成する段階と、前記新たなキャビティ（４００，４１０）に溶融樹脂を射出する段階と、前記新たなキャビティ（４００，４１０）内の溶融樹脂を冷却保持する段階を繰り返すことを特徴とする特許請求の範囲第５項記載の積層樹脂成型品の成型方法。
【請求項７】
前記溶融樹脂のうち少なくとも１つに発泡剤が混合され、
該発泡剤が混合された溶融樹脂の所望量の射出が完了した後、前記バルブ（２３９）を閉じ、所望の発泡倍率となる容積となるように金型（２１０）を開く段階を備えることを特徴とする特許請求の範囲第５項又は第６項記載の積層樹脂成型品（１）の成型方法。
【発明の詳細な説明】
【技術分野】
【０００１】
本発明は、異なる樹脂を積層してなる積層樹脂成型品を製造可能な多層射出成型装置並びに積層樹脂成型品の成型方法に関し、より詳しくは、一の層上に部分的に積層された層を備える積層樹脂成型品を製造可能な多層射出成型装置並びに積層樹脂成型品の成型方法に関する。
【背景技術】
【０００２】
一の層上に異なる樹脂を積層してなる樹脂成型品は、多くの場面で使用されている。例えば、自動車のドア内壁部やインストゥールメンタル・パネルに多く用いられている。
特許文献１は、このような積層樹脂成型品の成型方法の一例を開示している。【０００３】
図７は、特許文献１に開示される積層樹脂成型品の成型方法を示す。
図７（ａ）に示す如く、雌型（１００）と雄型（１１０）が用意される。雌型（１００）は、雄型（１１０）に対向する面に凹部（１０１）を備え、雄型（１１０）は、雌型（１００）に対向する面に凸部（１１１）を備える。
図７（ｂ）に示す如く、雄型（１１０）が雌型（１００）に近づく方向に移動すると、凸部（１１１）は、凹部（１０１）に嵌入され、凸部（１１１）の天面（１１２）と凹部（１０１）の底面（１０２）との間に第１のキャビティ（１２０）が形成される。
雌型（１００）は複数の流路（図７（ｂ）においては、２つの流路（１０３、１０４）が示されている）を備える。流路（１０３，１０４）の一端部は、第１のキャビティ（１２０）に連通し、他端部は溶融樹脂を射出する射出ノズル（図示せず）に連通する。【０００４】
図７（ｃ）に示す如く、射出ノズルから溶融した樹脂が射出されると、流路（１０３）を通じて第１のキャビティ（１２０）内に溶融した樹脂が流入する。第１のキャビティ（１２０）内に流入した溶融樹脂は、第１のキャビティ（１２０）内で固化し、第１のキャビティ（１２０）の形状に成型され、基層（１３０）をなす。
図７（ｄ）に示す如く、基層（１３０）が成型された後、雄型（１１０）は雌型（１００）から離れる方向に所定量だけ移動し、基層（１３０）上面と凹部（１０１）の底面（１０２）との間に第２のキャビティ（１２１）を形成する。
図７（ｅ）に示す如く、流路（１０４）から基層（１３０）をなす樹脂と異なる種類の樹脂が、第２のキャビティ（１２１）内に射出され、基層（１３０）上に追加の層（１３１）が成型・積層される。
図７（ｆ）に示す如く、雄型（１０１）は、追加の層（１３１）が成型された後、更に雌型（１３０）から離れる方向に移動し、積層樹脂成型品（１３２）が取り出される。【０００５】
【特許文献１】特開２００２−２８３３８９号公報
【発明の開示】
【発明が解決しようとする課題】
【０００６】
特許文献１に開示される積層樹脂成型品の成型方法は、金型構造を複雑化させることなく、積層樹脂成型品（１３２）を成型することができる優れた方法であるが、追加の層（１３１）を基層（１３０）上の一部の領域にのみ積層することは非常に困難である。
図８は、図７に示す金型構造を応用して、基層（１３０）上の一部領域のみに追加の層（１３１）を成型・積層する方法を示す。【０００７】
図８（ａ）に示す如く、基層（１３０）上の一部領域にのみ追加の層（１３１）を配するために、雌型（１００）は、第１ブロック（１０５）と第２ブロック（１０６）からなる分割構造を採用する必要がある。そして、第１ブロック（１０５）と第２ブロック（１０６）はそれぞれ独立に移動可能である。尚、成型工程前において、第１ブロック（１０５）と第２ブロック（１０６）は、凹部（１０１）を形成するとともに該凹部（１０１）の底面（１０２）が平坦となるような位置に配される。また、第１ブロック（１０５）に流路（１０３）が配され、第２ブロック（１０６）側に流路（１０４）が配される。
図８（ｂ）に示す如く、図７（ｂ）に示す工程と同様に、雄型（１１０）は雌型（１００）に近づくように移動し、雄型（１１０）に形成された凸部（１１１）が凹部（１０１）に嵌入し、第１のキャビティ（１２０）を形成する。
図８（ｃ）に示す如く、図７（ｃ）に示す工程と同様に、流路（１０３）から溶融樹脂が第１のキャビティ（１２０）内に流入し、基層（１３０）が成型される。【０００８】
図８（ｄ）に示す如く、基層（１３０）の形成後、第２ブロック（１０６）が雄型（１１０）から離れる方向に移動し、第２のキャビティ（１２１）が形成され、第２のキャビティ（１２１）は基層（１３０）上の一部領域上を占める。
図８（ｅ）に示す如く、第２のキャビティ（１２１）内に流路（１０４）から溶融した樹脂が射出され、基層（１３０）上の一部領域を占める追加の層（１３１）が成型される。
図８（ｆ）に示す如く、図７（ｆ）の工程と同様に、雄型（１１０）がその後雌型（１００）から離れる方向に移動し、積層樹脂成型品（１３２）が取り出される。【０００９】
図８に示す如く、基層（１３０）の上面のうち一部の領域に他の樹脂からなる層を積層しようとすると、雌型（１００）に対して分割構造を採用しなければならず、金型構造の複雑化を招来することとなる。また図８には示されないが、分割構造に加えて、第１ブロック（１０５）と第２ブロック（１０６）とを別個独立に移動させるための駆動機構も必要である。更には、この駆動機構を制御するための制御システムの同時に必要とされる。【００１０】
金型構造の複雑化に加えて、得られる積層樹脂成型品（１３２）の品質の低下も招来する。上述の如く、雌型（１００）に対して分割構造を採用することに起因して、分割構造の分割線に当たる基層（１３０）の部分には、分割線に沿った突出部（バリ）が形成されることとなる。この突出部をなくすために、突出部除去工程を別途設ける必要性を生ずることとなる。【００１１】
金型構造の複雑化や積層樹脂成型品（１３２）の品質低下を避けるために、基層（１３０）の成型後に、他の金型装置に基層（１３０）を据付け、基層（１３０）上に一部領域にのみ追加の層（１３１）を成型・積層する手段も考えられるが、このような方法によれば、複数の金型装置を使用する必要があり、成型工程の煩雑さを招来することとなる。【００１２】
本発明は上記実情を鑑みてなされたものであって、１つの層上の一部領域にのみ追加の層を成型・積層するための多層射出成型装置及び該多層射出成型装置を用いた積層樹脂成型品の成型方法を提供することを目的とする。
【課題を解決するための手段】
【００１３】
特許請求の範囲第１項記載の発明は、少なくとも２種類の熱可塑性樹脂をそれぞれ独立に可塑化させるとともに独立に充填射出する複数の射出装置（２３１，２３２）と、可動盤（２１４）と固定盤（２１３）とに取付けられるとともに内部に形成されるキャビティ（３００）の容積を縮小拡大可能である金型（２１０）と、前記金型（２１０）を開閉する型締装置（２２０）からなる多層射出成型装置（２００）であって、前記キャビティ（３００）の少なくとも１つの部位には、該キャビティ（３００）の容積の縮小拡大の動作方向と平行である平坦な立設面（２９）を成型する堰部成型領域（３０４）が設けられ、前記複数の射出装置（２３１，２３２）のうち一の射出装置が前記キャビティ（３００）の全領域を前記熱可塑性樹脂で充填した後、前記キャビティ（３００）の容積を拡大し、新たなキャビティを形成したとき、前記堰部成型領域（３０４）にある前記充填された樹脂が前記新たなキャビティを複数の空間（４００，４１０）に分け、該複数の空間（４００，４１０）それぞれには、前記複数の射出装置のうち一つと連通する流路と該射出装置（２３１，２３２）からの溶融樹脂の流れを選択的に遮るバルブ（２３９）が設けられることを特徴とする多層射出成型装置（２００）である。
特許請求の範囲第２項記載の発明は、少なくとも２種類の熱可塑性樹脂をそれぞれ独立に可塑化させるとともに独立に充填射出する複数の射出装置（２３１，２３２）と、可動盤（２１４）と固定盤（２１３）とに取付けられるとともに内部に形成されるキャビティ（３００）の容積を縮小拡大可能である金型（２１０）と、前記金型（２１０）を開閉する型締装置（２２０）からなる多層射出成型装置（２００）であって、前記キャビティ（３００）の少なくとも１つの部位には、該キャビティ（３００）の容積の縮小拡大の動作方向と平行である平坦な立設面（２９）を成型する堰部成型領域（３０４）が設けられ、前記複数の射出装置（２３１，２３２）のうち１つから、樹脂を射出した際及び後に前記キャビティの容積を拡大し、次の樹脂が充填されるための新たなキャビティが形成されたときに、前記堰部成型領域（３０４）にある樹脂が新たなキャビティを複数の空間（４００，４１０）に分け、該複数の空間（４００，４１０）それぞれには、前記複数の射出装置（２３１，２３２）のうち一つと連通する流路（２１５，２１６）と該射出装置（２３１，２３２）からの溶融樹脂の流れを選択的に遮るバルブ（２３９）が設けられることを特徴とする多層射出成型装置（２００）である。
特許請求の範囲第３項記載の発明は、前記射出装置（２３１，２３２）には、それぞれ独立して、前記流路（２１５，２１６）の開閉を制御する手段が備えられることを特徴とする特許請求の範囲第１項又は第２項記載の多層射出成型装置（２００）である。
特許請求の範囲第４項記載の発明は、前記多層射出成型装置（２００）が、前記樹脂の射出充填と前記キャビティ（３００）の拡大動作を繰り返し、熱可塑性樹脂からなる積層樹脂成型品（１）を得るものであって、前記堰部成型領域（３０４）の前記拡大縮小方向の長さは、前記積層樹脂成型品（１）を構成する各層の厚さの総和以上であることを特徴とする特許請求の範囲第１項又は第２項記載の多層射出成型装置（２００）である。【００１４】
特許請求の範囲第５項記載の発明は、型締装置（２２０）で金型（２１０）の型締を行い、該金型（２１０）内部で第１の容積を備えるキャビティ（３００）を形成する段階と、該キャビティ（３００）内に通ずる流路（２１５，２１６）のバルブ（２３９）を開き、溶融樹脂を前記キャビティ（３００）内に射出する段階と、所望量の溶融樹脂が射出された後、前記バルブ（２３９）を閉じ、前記キャビティ（３００）内に射出された溶融樹脂を所定時間、冷却保持する段階と、前記金型（２１０）を開き、前記冷却された溶融樹脂と前記金型（２１０）の内壁との間に第２の容積を備えるキャビティ（４００，４１０）を新たに形成する段階と、該新たに形成されたキャビティ（４００，４１０）に通ずる流路のバルブ（２３９）を開き、溶融樹脂を前記新たに形成されたキャビティ（４００，４１０）に射出する段階と、所望量の溶融樹脂が前記新たに形成されたキャビティ（４００，４１０）内に射出された後、前記新たに形成されたキャビティ（４００，４１０）に通ずる流路（２１５，２１６）のバルブ（２３９）を閉じ、前記新たなキャビティ（４００，４１０）内に射出された溶融樹脂を所定時間、冷却保持する段階と、型開して、金型（２１０）から積層樹脂成型品（１）を取り出す段階からなる積層樹脂成型品の成型方法である。
特許請求の範囲第６項記載の発明は、前記成型品（１）を構成する樹脂層の積層数に応じて、順次、前記新たなキャビティ（４００，４１０）を形成する段階と、前記新たなキャビティ（４００，４１０）に溶融樹脂を射出する段階と、前記新たなキャビティ（４００，４１０）内の溶融樹脂を冷却保持する段階を繰り返すことを特徴とする特許請求の範囲第５項記載の積層樹脂成型品の成型方法である。
特許請求の範囲第７項記載の発明は、前記溶融樹脂のうち少なくとも１つに発泡剤が混合され、該発泡剤が混合された溶融樹脂の所望量の射出が完了した後、前記バルブ（２３９）を閉じ、所望の発泡倍率となる容積となるように金型（２１０）を開く段階を備えることを特徴とする特許請求の範囲第５項又は第６項記載の積層樹脂成型品（１）の成型方法である。
【発明の効果】
【００１５】
特許請求の範囲第１項及び第２項記載の発明によれば、キャビティ容積を縮小・拡大可能であり、キャビティ容積を拡大させることにより新たなキャビティを形成することが可能である。新たなキャビティは、堰部成型領域内に充填された樹脂により分割される。したがって、分割されたキャビティのうち一方に溶融樹脂を射出したとしても、他方のキャビティに射出された溶融樹脂が流れ込むことがなく、第１層の上面において部分的に積層された層を設けることが可能となる。
特許請求の範囲第３項記載の発明によれば、好適に溶融樹脂の射出開始並びに停止を制御可能となる。
特許請求の範囲第４項記載の発明によれば、第１層上の一部に多数の樹脂層を積層可能となる。【００１６】
特許請求の範囲第５項記載の発明によれば、キャビティ容積を縮小・拡大可能であり、キャビティ容積を拡大させることにより新たなキャビティを形成することが可能である。新たなキャビティは、堰部成型領域内に充填された樹脂により分割される。したがって、分割されたキャビティのうち一方に溶融樹脂を射出したとしても、他方のキャビティに射出された溶融樹脂が流れ込むことがなく、第１層の上面において部分的に積層された層を設けることが可能となる。
特許請求の範囲第６項記載の発明によれば、第１層上の一部に多数の樹脂層を積層可能となる。
特許請求の範囲第７項記載の発明によれば、均質な発泡層を形成可能となる。
【発明を実施するための最良の形態】
【００１７】
以下、本発明に係る積層樹脂成型品及び該積層樹脂成型品を成型するための金型構造及び該積層樹脂成型品を成型するための成型方法の実施形態について、図を参照しつつ説明する。尚、以下に示す実施形態は、本発明の単なる例示であって、異なる形状の積層樹脂成型品並びに金型構造を採用することも可能である。
図１は、積層樹脂成型品を示す。図１（ａ）は積層樹脂成型品の平面図であり、図１（ｂ）は、図１（ａ）のＡ−Ａ線断面図である。
積層樹脂成型品（１）は、基層（２）と、基層（２）上面に積層される追加層（３）からなる。
基層（２）は、図１中左方に配される第１領域（２１）と、図１中右方に配される第２領域（２２）と、第１領域（２１）と第２領域（２２）との間に配される堰部（２３）から構成される。第２領域（２２）上には追加層（３）が積層されている。【００１８】
堰部（２３）は第１領域（２１）右縁から延設し、直角方向下方へ向かって屈曲して成型される。そして、堰部（２３）下端側面と、第２領域（２２）は接続し、第２領域（２２）は、堰部（２３）に対して直角方向に屈曲し、右方に向かって延設している。堰部（２３）の右側の面は、後述する立設面（２９）とされる。
第２領域（２２）は、堰部（２３）と接続するとともに右方に向かって延設する接続部（２２１）と、接続部（２２１）に接続するとともに接続部（２２１）に対して所定の傾斜角度をもって上方に向かって傾斜する傾斜部（２２２）と、傾斜部（２２２）と接続するとともに右方に向かって水平に延設する主要部（２２３）からなる。【００１９】
追加層（３）は、第２領域（２２）上面に積層され、第２領域（２２）と同様の断面形状を備える。即ち、追加層（３）は、堰部（２３）の立設面（２９）と接続するとともに堰部（２３）に対して直角右方向に延設する接続部（３１）と、接続部（３１）に接続するとともに接続部（３１）に対して所定の傾斜角度をもって上方に傾斜する傾斜部（３２）と、傾斜部（３２）と接続するとともに右方に向かって水平に延設する主要部（３３）からなる。
追加層（３）の主要部（３３）上面と、基層（２）の第１領域（２１）上面とは、面一の状態にある。【００２０】
図１に示す樹脂成型品（１）の各部位は平面状に構成されているが、本発明はこれに限られるものではなく、曲面状に形成されていてもよく、凸部や凹部を備えていてもよい。尚、堰部（２３）の立設面は縦断面が直線状の輪郭を備える必要がある。
また、図１（ａ）において全体形状が平面視矩形の樹脂成型品（１）を示したが、平面視形状もこれに限られるものではなく、円形、楕円形、三角形或いはその他多角形等所望の形状を採用可能である。
更には、２層構造の樹脂成型品を例示しているが、それ以上の層を備える多層構造も適宜採用可能である。【００２１】
尚、樹脂成型品（１）の各層を形成する樹脂も任意のものが適用可能である。例えば、基層（２）に対して、ポリプロピレン、ポリカーボネート、ポリエチレンテレフタレート、ＡＢＳ樹脂、ポリスチレン系サーモプラスティック・エラストマ樹脂、ポリオレフィン系サーモプラスティック・エラストマ樹脂、ポリエステル系サーモプラスティック・エラストマ樹脂、ポリブタジエン系サーモプラスティック・エラストマ樹脂やこれらサーモプラスティック・エラストマに無機系発泡剤を添加したものを用いてもよい。
また、追加層（３）に対して、同様に、ポリプロピレン、ポリカーボネート、ポリエチレンテレフタレート、ＡＢＳ樹脂、ポリスチレン系サーモプラスティック・エラストマ樹脂、ポリオレフィン系サーモプラスティック・エラストマ樹脂、ポリエステル系サーモプラスティック・エラストマ樹脂、ポリブタジエン系サーモプラスティック・エラストマ樹脂やこれらサーモプラスティック・エラストマに無機系発泡剤を添加したものを用いてもよい。
基層（２）を構成する樹脂と追加層（３）を構成する樹脂とを異ならせることで、様々の物理的特性を有する樹脂成型品を得ることができる。したがって、所望の物理的特性を得られるような組み合わせで、使用される樹脂を選択すればよい。【００２２】
図２は、図１に示す樹脂成型品（１）の成型に用いられる射出成形装置の全体構成図である。
射出成型装置（２００）は、金型（２１０）、型締装置（２２０）、第１射出装置（２３１）、第２射出装置（２３２）並びに制御装置（２４０）から構成される。【００２３】
金型（２１０）は、雌型（２１１）と雄型（２１２）を備える。雌型（２１１）は固定盤（２１３）に取付けられ、固定されている。雄型（２１２）は、可動盤（２１４）に取付けられ、型締装置（２２０）の動作に伴って、雌型（２１１）に近づく方向及び離れる方向に前後に移動可能である。
雌型（２１１）の雄型（２１２）と対向する面には凹部（２１７）が形成され、雄型（２１２）の雌型（２１１）と対向する面には凸部（２１８）が形成され、型締装置（２２０）により、雄型（２１２）が雌型（２１１）の方向へ接近されると、凸部（２１８）は凹部（２１７）内に嵌入する。そして、凸部（２１８）の天面（３０１）と、凹部（２１７）の底面（３０２）との間で、所定形状のキャビティ（３００）が形成される。
雌型（２１１）内部には、第１流路（２１５）及び第２流路（２１６）が形成され、第１流路（２１５）及び第２流路（２１６）の一端部は、雌型（２１１）と雄型（２１２）との間に形成されるキャビティ（３００）と連通する。第１流路（２１５）の他端部は、第１射出装置（２３１）先端部と連通し、第２流路（２１６）の他端部は第２射出装置（２３２）先端部と連通する。【００２４】
型締装置（２２０）は、モータ（２２９）を備え、モータ（２２９）の動作に伴い、型締装置（２２０）は、可動盤（２１４）を前後に動かし、これにより雄型（２１２）も前後に移動する。
型締装置（２２０）は更に、可動盤（２１４）の位置を検知するためのセンサ（２２２）を備える。センサ（２２２）からの信号は、制御装置（２４０）の型締装置制御部（２４１）に送られる。型締装置制御部（２４１）はセンサ（２２２）からの信号に応じて、モータ（２２９）の回転量を定め、モータ（２２９）に信号を送り、モータ（２２９）は、送信された信号に基づいて動作する。これにより、可動盤（２１４）の位置が正確に制御され、型締め・型開きの動作が制御下で行われる。【００２５】
尚、図２に示す型締装置（２２０）は、トグルタイプの電動式型締装置（２２０）であるが、本発明はこれに限られず、可動盤（２１４）の位置制御を精度よく行うことが可能であって、金型（２１０）に十分な型締力を負荷することができるものであれば適宜採用可能である。例えば、油圧式で動作可能な形態を採用してもよいし、トグルタイプに代えて、直圧タイプのものを採用してもよい。【００２６】
射出装置（２３１，２３２）は、バレル（２３３）と、バレル（２３３）内部に配されるとともにスクリュフライト（２３４）を備えるスクリュ（２３５）を備える。
バレル（２３３）は、ホッパ（２３６）を備え、ホッパ（２３６）から樹脂が供給される。スクリュ（２３５）後端部は、射出用サーボモータ（２３７）とスクリュ回転用サーボモータ（２３８）と接続する。射出用サーボモータ（２３７）は、スクリュ（２３５）を前後進させ、スクリュ回転用サーボモータ（２３８）は、スクリュ（２３５）を回転させる。
また、バレル（２３３）外周面にはヒータ（図示せず）が配され、バレル（２３３）は加熱可能とされる。【００２７】
スクリュ回転用サーボモータ（２３８）の回転動作により、ホッパ（２３６）内部のペレット状の樹脂がバレル（２３３）内に供給される。バレル（２３３）内に供給された樹脂は、加熱されたバレル（２３３）により溶融される。そして、溶融された樹脂は、スクリュ（２３５）の回転により、スクリュフライト（２３４）から混練圧縮作用を受け、スクリュ（２３５）前方へと送られる。【００２８】
バレル（２３３）の先端部には回転式バルブ（２３９）が配される。回転式バルブ（２３９）の回転により、バレル（２３３）先端の流路の開閉が行われる。スクリュ（２３５）前方に送られた溶融樹脂は、バルブ（２３９）が開の状態となったとき、射出用サーボモータ（２３７）により前進するスクリュ（２３５）によって、バレル（２３３）先端から射出され、雌型（２１１）内部に形成された流路（２１５，２１６）を介して、キャビティ（３００）へ至る。【００２９】
制御装置（２４０）は、型締装置制御部（２４１）、型締条件設定器（２４２）、射出装置制御部（２４３）及び射出条件設定器（２４４）を備える。
上述の如く、型締装置制御部（２４１）はセンサ（２２２）の信号を受け、この信号に基づき型締装置（２２０）を制御する。また型締条件設定器（２４２）を介して、所定の型締装置（２２０）動作フロー並びに動作条件が入力され、この入力に基づき、型締装置制御部（２４１）は型締装置（２２０）の動作を制御する。
射出装置制御部（２４３）は、射出条件設定器（２４４）を介して入力された設定条件にしたがって、射出用サーボモータ（２３７）とスクリュ回転用サーボモータ（２３８）の動作を制御する。【００３０】
図３は、図２に示す射出成型装置（２００）を用いて、図１の積層樹脂成型品（１）を成型する成型方法を示すフローチャートである。
積層樹脂成型品（１）の成型方法は、第１キャビティ形成工程、基層成型工程、第２キャビティ形成工程と積層工程からなる。【００３１】
図４は、第１キャビティ形成工程における金型（２１０）の状態図である。
第１キャビティ形成工程において、型締装置制御部（２４１）からの制御信号に応じて、型締装置（２２０）が動作し、雄型（２１２）を雌型（２１１）側に近づける。そして、雄型（２１２）の雌型（２１１）側の面から突出する凸部（２１８）は、雌型（２１１）の雄型（２１２）側の面に形成された凹部（２１７）内に嵌入する。そして、凸部（２１８）の天面（３０１）と凹部（２１７）の底面（３０２）との間に第１キャビティ（３００）が形成される。
尚、図４に示す状態において、凸部（２１８）は、凹部（２１７）内に最大限嵌入している。【００３２】
第１キャビティ（３００）は、図４中左方の空間として位置する第１成型領域（３０３）と、第１成型領域（３０３）右縁から直角に屈曲して下方に向けて形成される堰部成型領域（３０４）と、堰部成型領域（３０４）の下端右側部と連通するとともに右方へ向けて形成される第２成型領域（３０５）からなる。尚、堰部成型領域（３０４）の第２成型領域（３０５）側の面は、図１で示す堰部（２３）の立設面（２９）を成型し、雄型（２１２）が移動可能な方向（図４において上下方向）に対して平行である。
第２成型領域（３０５）は、堰部成型領域（３０４）と接続し、水平に右方へ延設する接続部成型領域（３５１）と、接続部成型領域（３５１）右縁と接続し、接続部成型領域（３５１）に対して所定の角度をもって上方に傾斜する傾斜部成型領域（３５２）と、傾斜部成型領域（３５２）の右縁と接続し、右方に向けて水平に延びる主要部成型領域（３５３）からなる。
雌型（２１１）内部に形成された第１流路（２１５）は、第１成型領域（３０３）と連通し、第２流路（２１６）は、第２成型領域（３０５）の主要部成型領域（３５３）と連通する。
型締装置（２２０）は、金型（２１０）に対して所定の型締力を負荷し、金型（２１０）は図４に示す状態で固定される。【００３３】
第１キャビティ形成工程の後、基層成型工程が行われる。基層成型工程において、第１射出装置（２３１）のバレル（２３３）内部先端に備えられたバルブ（２３９）が閉状態から開状態に切換えられる。そして、射出用サーボモータ（２３７）を作動させ、スクリュ（２３５）をバレル（２３３）先端方向へ移動させ、射出動作を行う。
バレル（２３３）内部から射出された溶融樹脂は、雌型（２１１）内部の流路（２１５）を通じて第１キャビティ（３００）内部に至る。
そして、スクリュ（２３５）の位置を調整して、所定時間、第１キャビティ（３００）内部の溶融樹脂に対して保圧した後、バルブ（２３９）は再度閉状態に切換えられる。【００３４】
この保圧時間は、制御装置（２４０）に組み込まれたタイマにより計測され、タイマの計測値が型締条件設定器（２４２）により設定された値と等しくなったとき、型締装置制御部（２４１）は、型締装置（２２０）のモータ（２２９）に信号を送り、型締装置（２２０）に型開きの動作を行わせしめ、第２キャビティ形成工程が開始される。尚、設定される保圧時間は、第１キャビティ（３００）内部に射出された溶融樹脂が十分に冷却され固化可能な長さに設定される。第１キャビティ（３００）内の溶融樹脂は、保圧時間中に冷却固化され、基層（２）が成型される。【００３５】
第２キャビティ形成工程において、まず、型締装置（２２０）から金型（２１０）への型締力の負荷が解除される。そして、型締装置（２２０）は、雄型（２１２）を雌型（２１１）から離れる方向へ移動させる。雄型（２１２）の移動は、センサ（２２２）によりモニタされ、型締条件設定器（２４２）により定められた移動量だけ、雄型（２１２）は正確に移動する。【００３６】
図５は、第２キャビティ形成工程にて、雄型（２１２）が所定の移動量だけ雌型（２１１）から離れる方向へ移動した状態を示す。
基層成型工程にて成型された基層（２）は、凸部（２１８）の天面（３０１）に付着して、雄型（２１２）の移動とともに、凹部（２１７）の底面（３０２）から離れる。
ここで、雄型（２１２）の移動量は、堰部成型領域（３０４）の第２成型領域（３０５）側の面の長さ（即ち、基層成型工程にて成型された基層（２）の第２領域（２２）上面から堰部（２３）の上端までの距離として定義される堰部（２３）の高さ）よりも小さく設定される。この結果、基層（２）の上面には新たなキャビティ（４００，４１０）が形成される。
新たなキャビティ（４００）は、基層成型工程にて成型された基層（２）の第１領域（２１）上に形成される。新たなキャビティ（４１０）は、基層成型工程にて成型された基層（２）の第２領域（２２）上に形成される。【００３７】
新たなキャビティ（４００）の形状に関しては、基層成型工程にて成型された基層（２）の第１領域（２１）と同様に、新たなキャビティ（４００）の上下面はともに平坦であり、新たなキャビティ（４００）の左側面は基層（２）の左側面に対して面一であり、新たなキャビティ（４００）の右側面は、基層（２）の堰部（２３）の右側面に対して面一である。【００３８】
新たなキャビティ（４１０）の形状に関しては、基層成型工程にて成型された基層（２）の第２領域（２１）と略同様の形状である。新たなキャビティ（４１０）は、基層成型工程にて成型された堰部（２３）と接続する接続部成型領域（４１１）と、接続部成型領域（４１１）の右端縁と接続するとともに所定の傾斜角度をもって上方に傾斜して右方へ延出する傾斜部成型領域（４１２）と、傾斜部成型領域（４１２）の右端縁と接続し、右方へ水平に延出する主要部成型領域（４１３）からなる。【００３９】
一対の新たなキャビティ（４００，４１０）同士は、基層成型工程にて成型された基層（２）の堰部（２３）により分離している。新たなキャビティ（４００，４１０）はともに、凹部（２１７）の底面（３０２）と凹部（２１７）の内周面並びに基層成型工程にて成型された基層（２）上面にて囲まれ気密性を保たれており、新たなキャビティ（４００，４１０）に溶融樹脂が射出されても、該溶融樹脂がキャビティ（４００，４１０）から漏れることはない。
尚、本実施例において、新たなキャビティ（４１０）を第２キャビティ（４１０）とし、第２キャビティ（４１０）に第２射出装置（２３２）から溶融樹脂を射出する。【００４０】
上述の如く、第２キャビティ形成工程が行われ、所定厚さの新たなキャビティ（４００，４１０）が基層（２）上面に形成された後、積層工程が行われる。
積層工程において、第１射出装置（２３２）のバレル（２３３）内部先端に備えられたバルブ（２３９）が閉状態から開状態に切換えられる。そして、射出用サーボモータ（２３７）を作動させ、スクリュ（２３５）をバレル（２３３）先端方向へ移動させ、射出動作を行う。
バレル（２３３）内部から射出された溶融樹脂は、雌型（２１１）内部の流路（２１６）を通じて第２キャビティ（４１０）内部に至る。【００４１】
第２キャビティ（４１０）内の溶融樹脂は、基層成型工程にて成型された基層（２）の堰部（２３）によって堰き止められ、新たなキャビティ（４００）内部へは流入しない。更に、上述した如く、第２キャビティ（４１０）は、気密性を保たれているため、金型（２１０）の他の部分から流出することはない。
したがって、第２キャビティ（４１０）内に射出された溶融樹脂は、堰部（２３）右側面に接続するとともに、基層（２）の第２領域（２２）上に形成された第２キャビティ（４１０）の形状を模った層に成型される。【００４２】
第２キャビティ（４１０）内に溶融樹脂を射出した後、スクリュ（２３５）の位置を調整して、所定時間、第２キャビティ（４１０）内部の溶融樹脂に対して保圧した後、バルブ（２３９）は再度閉状態に切換えられる。
この保圧時間は、基層成型工程と同様に、制御装置（２４０）に組み込まれたタイマにより計測され、タイマの計測値が型締条件設定器（２４２）により設定された値と等しくなったとき、型締装置制御部（２４１）は、型締装置（２２０）のモータ（２２９）に信号を送り、型締装置（２２０）に型開きの動作を行わせしめ、雄型（２１２）を雌型（２１１）から離れる方向へ移動させる。尚、設定される保圧時間は、第２キャビティ（４１０）内部に射出された溶融樹脂が十分に冷却され固化可能な長さに設定される。第２キャビティ（４１０）内の溶融樹脂は、保圧時間中に冷却固化され、追加層（３）が成型される。【００４３】
尚、基層（２）や追加層（３）に成型される樹脂が、発泡剤を含有する発泡樹脂であるならば、基層成型工程や積層工程において次のような動作を行ってもよい。
バルブ（２３９）を閉状態とした後、雄型（２１２）を徐々に雌型（２１１）から離間させ、キャビティ（３００，４１０）の容積を徐々に拡大させる。例えば、雄型（２１２）を２ｍｍ程度移動させた後、２秒程度、雄型（２１２）の移動を停止させ、その位置を保つ。この工程を複数回繰り返し、キャビティ（３００，４１０）の容積を徐々に拡大させることで、均一な発泡を層内に得ることが可能である。
このような動作は、型締条件設定器（２４２）により予め設定可能であり、センサ（２２２）の信号により位置制御される型締装置（２２０）の動作によって、精度よく行うことが可能である。
また、このような動作形態は、使用される樹脂の種類によって、適宜好適な設定が選択され、定められる。【００４４】
上記のように積層工程までの工程が完了した後、雄型（２１２）は、更に雌型（２１１）から離間する方向へ移動され、凸部（２１８）の天面（３０１）に付着した積層樹脂成型品（１）が取り出される。【００４５】
図６は、上記した本発明の原理に従って得られる様々な形態の積層樹脂成型品（１）を示す。尚、図示例に限られず、他の多様な形態も本発明の原理にしたがって、得ることができる。
図６（ａ）は、基層（２）の第２領域（２２）上に複数の追加層（３）を積層した形態である。
図６（ａ）に示す積層樹脂成型品（１）は以下の手順で得ることができる。
基層（２）を成型した後、図５に示す雄型（２１２）の移動量よりも小さな移動量で雄型（２１２）を移動させる。雌型（２１１）には、複数の樹脂射出用流路が形成されており、この流路に接続する射出装置がそれぞれ搭載されている。キャビティ内に複数の流路のうち１つのバルブ（２３９）を開き、雄型（２１２）の移動により形成されたキャビティ内に溶融樹脂が射出される。そして、所望量の溶融樹脂が射出され、所定時間、保持され、溶融樹脂は冷却固化される。
そして、溶融樹脂が冷却固化された後、再度、雄型（２１２）を微小量移動させ、新たなキャビティを形成し、この新たなキャビティに、上記と同様の方式で、他の流路から他の溶融樹脂を射出して、追加層の上に更に追加層を積層する。これを繰り返して、第２領域（２２）上に複数の追加層（３）を設けることができる。【００４６】
図６（ｂ）は、図５に示すキャビティ（４００）に溶融樹脂を射出して成型した例である。
図６（ｂ）に示す積層樹脂成型品（１）は、図５に示すキャビティ（４００）に連通する溶融樹脂射出用の流路を複数設け、各流路に射出装置を接続させることにより得ることができる。
即ち、一の流路から溶融樹脂を射出し、基層（２）を成型した後、他の流路から溶融樹脂を射出して、基層（２）の第１領域（２１）上に追加層（３）を積層可能である。この場合、基層（２）の堰部（２３）上端が第１領域（２１）上に射出される溶融樹脂を堰き止める。また、図６（ａ）の例に示したように、図６（ｂ）の例においても複数の追加層（３）を成型することが可能である。【００４７】
図６（ｃ）及び図６（ｄ）は、多数の積層領域を有する積層樹脂成型品（１）を示す。図６（ｃ）は、積層樹脂成型品（１）の正面図であり、図６（ｄ）は、積層樹脂成型品（１）の平面図である。
図６（ｃ）及び（ｄ）に示す積層樹脂成型品（１）は、平板状の部分と、該平板状の部分の上面から直角に立設する平面視十字形状の堰部（２３）からなり、堰部（２３）により、平板状部分の上面は４つの区画に区切られている。そして各区画に追加層（３）が積層されている。
このように３以上の領域上に積層部分を形成することも可能である。
尚、図６（ｅ）に示す如く、単数の領域上に積層部分を設けることも十分に可能である。【００４８】
図６の様々な形態の積層樹脂成型品（１）から明らかな如く、本発明の積層樹脂成型品（１）は、以下の共通する特徴を備える。
基層（２）は、平坦な立設面（２９）を有する堰部（２３）と、堰部（２３）上端側部及び／又は、下端側部に接続する領域を備える。追加層（３）が、堰部（２３）上端側部と接続する領域上に積層されるならば、追加層（３）は、堰部（２３）の立設面（２９）に対して面一となる縁部を備える。追加層（３）が、堰部（２３）の下端側部と接続する領域上に積層されるならば、追加層（３）は、堰部（２３）の立設面（２９）と接続する縁部を備える。また追加層（３）の上面は、該追加層（３）が積層される基層（２）の領域の上面と平行に形成される。
【産業上の利用可能性】
【００４９】
本発明は、自動車のドア内壁部やインストゥールメンタル・パネル並びにこれらの成型方法及び該成型方法に用いられる金型装置に好適に適用される。
【図面の簡単な説明】
【００５０】
【図１】本発明に係る積層樹脂成型品の一例を示す図である。
【図２】本発明に係る積層樹脂成型品の成型に用いられる射出成形装置の全体構成図である。
【図３】本発明に係る積層樹脂成型品の成型方法のフローチャートである。
【図４】本発明に係る積層樹脂成型品の成型方法の第１キャビティ形成工程の金型を示す図である。
【図５】本発明に係る積層樹脂成型品の成型方法の第２キャビティ形成工程の金型を示す図である。
【図６】本発明に係る積層樹脂成型品の様々な形態を示す図である。
【図７】従来の積層樹脂成型品の製造工程の一例を示す図である。
【図８】従来の積層樹脂成型品の製造工程の応用例を示す図である。
【符号の説明】
【００５１】
１・・・・・積層樹脂成型品
２・・・・・基層
２１０・・・金型
２１１・・・雌型
２１２・・・雄型
２１５・・・流路
２１６・・・流路
２１７・・・凹部
２１８・・・凸部
２３・・・・堰部
２９・・・・立設面
３・・・・・追加層
３００・・・キャビティ
３０１・・・天面
３０２・・・底面
３０４・・・堰部成型領域
【図１】
2007052351.tif 000003
【図２】
2007052351.tif 000004
【図３】
2007052351.tif 000005
【図４】
2007052351.tif 000006
【図５】
2007052351.tif 000007
【図６】
2007052351.tif 000008
【図７】
2007052351.tif 000009
【図８】
2007052351.tif 000010
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
少なくとも２種類の熱可塑性樹脂をそれぞれ独立に可塑化させるとともに独立に充填射出する複数の射出装置（２３１，２３２）と、
可動盤（２１４）と固定盤（２１３）とに取付けられるとともに内部に形成されるキャビティ（３００）の容積を縮小拡大可能である金型（２１０）と、
前記金型（２１０）を開閉する型締装置（２２０）からなる多層射出成型装置（２００）であって、
前記キャビティ（３００）の少なくとも１つの部位には、該キャビティ（３００）の容積の縮小拡大の動作方向と平行である平坦な立設面（２９）を成型する堰部成型領域（３０４）が設けられ、
前記複数の射出装置（２３１，２３２）のうち一の射出装置が前記キャビティ（３００）の全領域を前記熱可塑性樹脂で充填した後、前記キャビティ（３００）の容積を拡大し、新たなキャビティを形成したとき、前記堰部成型領域（３０４）にある前記充填された樹脂が前記新たなキャビティを複数の空間（４００，４１０）に分け、
前記固定盤（２１３）には、前記複数の空間（４００，４１０）それぞれに連通する流路（２１５，２１６）が形成され、
前記射出装置（２３１，２３２）から前記固定盤（２１３）の流路（２１５，２１６）に連通する経路途中には、溶融樹脂の流れを選択的に遮るバルブ（２３９）が設けられることを特徴とする多層射出成型装置（２００）。
【請求項２】
少なくとも２種類の熱可塑性樹脂をそれぞれ独立に可塑化させるとともに独立に充填射出する複数の射出装置（２３１，２３２）と、
可動盤（２１４）と固定盤（２１３）とに取付けられるとともに内部に形成されるキャビティ（３００）の容積を縮小拡大可能である金型（２１０）と、
前記金型（２１０）を開閉する型締装置（２２０）からなる多層射出成型装置（２００）であって、
前記キャビティ（３００）の少なくとも１つの部位には、該キャビティ（３００）の容積の縮小拡大の動作方向と平行である平坦な立設面（２９）を成型する堰部成型領域（３０４）が設けられ、
前記複数の射出装置（２３１，２３２）のうち１つから、樹脂を射出した際及び後に前記キャビティの容積を拡大し、次の樹脂が充填されるための新たなキャビティが形成されたときに、前記堰部成型領域（３０４）にある樹脂が新たなキャビティを複数の空間（４００，４１０）に分け、
前記固定盤（２１３）には、前記複数の空間（４００，４１０）それぞれに連通する流路（２１５，２１６）が形成され、
前記射出装置（２３１，２３２）から前記固定盤（２１３）の流路（２１５，２１６）に連通する経路途中には、溶融樹脂の流れを選択的に遮るバルブ（２３９）が設けられることを特徴とする多層射出成型装置（２００）。
【請求項３】
前記射出装置（２３１，２３２）には、それぞれ独立して、前記流路（２１５，２１６）の開閉を制御する手段が備えられることを特徴とする特許請求の範囲第１項又は第２項記載の多層射出成型装置（２００）。
【請求項４】
前記多層射出成型装置（２００）が、前記樹脂の射出充填と前記キャビティ（３００）の拡大動作を繰り返し、熱可塑性樹脂からなる積層樹脂成型品（１）を得るものであって、
前記堰部成型領域（３０４）の前記拡大縮小方向の長さは、前記積層樹脂成型品（１）を構成する各層の厚さの総和以上であることを特徴とする特許請求の範囲第１項又は第２項記載の多層射出成型装置（２００）。
【請求項５】
型締装置（２２０）で金型（２１０）の型締を行い、該金型（２１０）内部で第１の容積を備えるキャビティ（３００）を形成する段階と、
該キャビティ（３００）内に通ずるとともに前記固定盤内に形成される流路（２１５，２１６）を開閉するバルブ（２３９）を開き、溶融樹脂を前記キャビティ（３００）内に射出する段階と、
所望量の溶融樹脂が射出された後、前記バルブ（２３９）を閉じ、前記キャビティ（３００）内に射出された溶融樹脂を所定時間、冷却保持する段階と、
前記金型（２１０）を開き、前記冷却された溶融樹脂と前記金型（２１０）の内壁との間に第２の容積を備えるキャビティ（４００，４１０）を新たに形成する段階と、
該新たに形成されたキャビティ（４００，４１０）に通ずる前記流路（２１５，２１６）を開閉する前記バルブ（２３９）を開き、溶融樹脂を前記新たに形成されたキャビティ（４００，４１０）に射出する段階と、
所望量の溶融樹脂が前記新たに形成されたキャビティ（４００，４１０）内に射出された後、前記新たに形成されたキャビティ（４００，４１０）に通ずる前記流路（２１５，２１６）を開閉するバルブ（２３９）を閉じ、前記新たなキャビティ（４００，４１０）内に射出された溶融樹脂を所定時間、冷却保持する段階と、
型開して、金型（２１０）から積層樹脂成型品（１）を取り出す段階からなる積層樹脂成型品の成型方法。
【請求項６】
前記成型品（１）を構成する樹脂層の積層数に応じて、順次、前記新たなキャビティ（４００，４１０）を形成する段階と、前記新たなキャビティ（４００，４１０）に溶融樹脂を射出する段階と、前記新たなキャビティ（４００，４１０）内の溶融樹脂を冷却保持する段階を繰り返すことを特徴とする特許請求の範囲第５項記載の積層樹脂成型品の成型方法。
【請求項７】
前記溶融樹脂のうち少なくとも１つに発泡剤が混合され、
該発泡剤が混合された溶融樹脂の所望量の射出が完了した後、前記バルブ（２３９）を閉じ、所望の発泡倍率となる容積となるように金型（２１０）を開く段階を備えることを特徴とする特許請求の範囲第５項又は第６項記載の積層樹脂成型品（１）の成型方法。
【国際調査報告】
2007052351.tif 000011
2007052351.tif 000012